(57)【要約】【課題】案内ローラが印刷面に触れることなく印刷および乾燥を並行して行うことにより、インクの脱落や滲みを防止して、鮮明な文字および画像を形成することができる印刷装置を提供する。【解決手段】被印刷物１００をその裏面１００ａから保持するとともに、自身の移動に伴い該被印刷物１００を移動させる無端状ベルト１４と、被印刷物１００の表面１００ｂに対向して配置され、該表面１００ｂに互いに異なるインクを塗布することにより該被印刷物１００に印刷を行う４種類のインクジェットヘッド２０ａ〜２０ｄと、４種類のインクジェットヘッド２０ａ〜２０ｄの各々の間に配置され、塗布された互いに異なるインクの各々を乾燥させる４つのヘッド間乾燥装置２２ａ〜２２ｄとを備える、印刷装置１。【選択図】図１
2020023179.tif 000002
【特許請求の範囲】
【請求項１】
被印刷物をその裏面から保持するとともに、自身の移動に伴い該被印刷物を移動させるベルトと、
前記被印刷物の表面に対向して配置され、該表面に互いに異なるインクを塗布することにより該被印刷物に印刷を行う複数のインクジェットヘッドと、
前記複数のインクジェットヘッドの各々の間に配置され、塗布された前記互いに異なるインクの各々を乾燥させる複数のヘッド間乾燥装置とを備える、印刷装置。
【請求項２】
前記複数のヘッド間乾燥装置は、前記被印刷物の表面に温風を噴射することにより前記インクの各々の乾燥を個別に行うとともに、前記乾燥を行った後の前記温風を回収する構成である、請求項１に記載の印刷装置。
【請求項３】
前記被印刷物の裏面を加熱する裏面加熱装置を備える、請求項１または２に記載の印刷装置。
【請求項４】
前記裏面加熱装置は、前記ベルトを発熱させる構成であり、発熱した該ベルトが前記被印刷物の裏面を加熱する、請求項３に記載の印刷装置。
【請求項５】
前記裏面加熱装置は、前記ベルトを加熱するベルト加熱装置を備え、
前記ベルト加熱装置が前記ベルトを加熱することにより加熱された前記ベルトを介して前記被印刷物の裏面を加熱する、請求項３に記載の印刷装置。
【請求項６】
前記被印刷物の裏面を前記ベルトに吸着させる吸着装置を備える、請求項１〜５のいずれか１項に記載の印刷装置。
【請求項７】
前記吸着装置は、前記ベルトの移動方向に対して前記複数のインクジェットヘッドおよび前記複数のヘッド間乾燥装置の上流側に配置され、前記被印刷物および前記ベルトのうち少なくとも一方を帯電して静電気を生じさせ、該静電気により互いに密着させるための帯電装置を備える、請求項６に記載の印刷装置。
【請求項８】
前記帯電装置は、前記被印刷物を帯電して静電気を生じさせ、該静電気により前記被印刷物を前記ベルトに密着させる、請求項７に記載の印刷装置。
【請求項９】
前記帯電装置は、前記ベルトを帯電して静電気を生じさせ、該静電気により前記被印刷物を前記ベルトに密着させる、請求項７に記載の印刷装置。
【請求項１０】
前記ベルトの移動方向に対して前記複数のインクジェットヘッドおよび前記複数のヘッド間乾燥装置の下流側に配置され、前記ベルトおよび前記被印刷物のうち少なくとも一方の前記静電気を取り除く除電装置をさらに備える、請求項７〜９のいずれか１項に記載の印刷装置。
【請求項１１】
前記ベルトの移動方向に対して前記複数のヘッド間乾燥装置の上流側に配置され、前記互いに異なるインクが塗布される前の前記被印刷物を乾燥させる予備乾燥装置を備える、請求項１〜１０のいずれか１項に記載の印刷装置。
【請求項１２】
前記ベルトの移動方向に対して前記複数のヘッド間乾燥装置の下流側に配置され、塗布された前記互いに異なるインクの各々を更に乾燥させる後乾燥装置を備える、請求項１〜１１のいずれか１項に記載の印刷装置。
【発明の詳細な説明】
【技術分野】
【０００１】
本発明は、インクジェット方式の印刷装置に関し、印刷および乾燥を並行して行うインクジェット方式の印刷装置に関する。
【背景技術】
【０００２】
従来、インクジェット方式の印刷装置が複数提案されている。たとえば、特許文献１には、搬送中の帯状の被印刷物にシワや伸縮が発生していない状態で、該被印刷物にインクを滴下することにより、印刷不良の発生を抑制することが可能な印刷装置が記載されている。
【０００３】
特許文献１に記載の印刷装置は、帯状の被印刷物を送り出す給紙部と、給紙部から送り出された被印刷物にインクを塗布するインクジェット塗布部と、インクジェット塗布部によりインクが塗布された被印刷物を巻き取る巻取部とを備えている。インクジェット塗布部は、被印刷物が張架される加熱ローラと、被印刷物における加熱ローラにより張架されている箇所にインクを滴下するインクジェットヘッドとを有している。
【０００４】
また、特許文献１に記載の印刷装置には、インクジェット塗布部において、隣接する各加熱ローラの間にある被印刷物、および、加熱ローラから送り出された被印刷物を案内するための複数の案内ローラが設けられており、これらの案内ローラにより被印刷物の向きが変えられて、併設された加熱ローラで乾燥させる印刷装置が記載されている。
【先行技術文献】
【特許文献】
【０００５】
【特許文献１】特開２０１５−６３０２７号公報
【発明の概要】
【発明が解決しようとする課題】
【０００６】
しかしながら、特許文献１に記載の印刷装置では、各色のインクジェット塗布部のすぐ下流側に案内ローラが配置され、案内ローラが被印刷物の印刷面と接触するように回転するため、未乾燥のインクが案内ローラに押しつけられることに起因して、印刷表面から脱落し、または被印刷物の実質的な範囲に広がって滲み、印刷された文字や画像が不鮮明になるという問題点がある。
【０００７】
本発明は、上記問題点を解消すべくなされたものであって、案内ローラが印刷面に接触することなく印刷および乾燥を並行して行うことにより、インクの脱落や滲みを防止して、鮮明な文字および画像を形成することができる印刷装置を供給することを目的とする。
【課題を解決するための手段】
【０００８】
上記目的を達成するために、本発明は、次のように構成されている。
【０００９】
（１）本発明の印刷装置は、被印刷物をその裏面から保持するとともに、自身の移動に伴い該被印刷物を移動させるベルトと、前記被印刷物の表面に対向して配置され、該表面に互いに異なるインクを塗布することにより該被印刷物に印刷を行う複数のインクジェットヘッドと、前記複数のインクジェットヘッドの各々の間に配置され、塗布された前記互いに異なるインクの各々を乾燥させる複数のヘッド間乾燥装置とを備える。
【００１０】
上記構成によると、被印刷物を移動させるベルトが被印刷物の裏面を保持するため被印刷物の表面にベルトが直接接触することなく、かつ、被印刷物を案内する案内ローラが印刷面に直接接触することなく印刷および乾燥を平行して行うことができるため、インクの脱落や滲みを防止して、鮮明な文字および画像を形成することができる。
【００１１】
（２）本発明の印刷装置において、前記複数のヘッド間乾燥装置は、前記被印刷物の表面に温風を噴射することにより前記インクの各々の乾燥を個別に行うとともに、前記乾燥を行った後の前記温風を回収する構成である。このように構成すれば、インクの乾燥を行う際に、被印刷物の表面に対して噴射された温風を回収することができるため、噴射された温風が隣接するインクジェットの塗布に影響を与えることを抑制できる。
【００１２】
（３）本発明の印刷装置は、前記被印刷物の裏面を加熱する裏面加熱装置を備える。このように構成すれば、裏面加熱装置により被印刷物を裏面側から加熱することによって、被印刷物に塗布されたインクに含まれる水分を蒸発させて効果的に乾燥させることができる。
【００１３】
（４）本発明の印刷装置において、前記裏面加熱装置は、前記ベルトを発熱させる構成であり、発熱した該ベルトが前記被印刷物の裏面を加熱する。このように構成すれば、ベルトの熱を被印刷物の裏面に直接的に伝えることができるため、より効果的に被印刷物を乾燥させることができる。
【００１４】
（５）本発明の印刷装置において、前記裏面加熱装置は、前記ベルトを加熱するベルト加熱装置を備え、前記ベルト加熱装置が前記ベルトを加熱することにより加熱された前記ベルトを介して前記被印刷物の裏面を加熱する。このように構成すれば、ベルト加熱装置の熱をベルトを介して被印刷物の裏面に間接的に伝えて効果的に被印刷物を乾燥させることができる。
【００１５】
（６）本発明の印刷装置は、前記被印刷物の裏面を前記ベルトに吸着させる吸着装置を備える。このように構成すれば、被印刷物がベルトから浮くことを防止することができる。
【００１６】
（７）本発明の印刷装置において、前記吸着装置は、前記ベルトの移動方向に対して前記複数のインクジェットヘッドおよび前記複数のヘッド間乾燥装置の上流側に配置され、前記被印刷物および前記ベルトのうち少なくとも一方を帯電して静電気を生じさせ、該静電気により互いに密着させるための帯電装置を備える。このように構成すれば、印刷前の被印刷物をベルトの表面に対して密着させることができ、被印刷物の表面と複数のインクジェットヘッドの先端との間隔を一定に保つことができるため、印字品質を向上させることができる。
【００１７】
（８）本発明の印刷装置において、前記帯電装置は、前記被印刷物を帯電して静電気を生じさせ、該静電気により前記被印刷物を前記ベルトに密着させる。このように構成すれば、ベルトの材質に関わらず被印刷物をベルトの表面に密着させることができる。
【００１８】
（９）本発明の印刷装置において、前記帯電装置は、前記ベルトを帯電して静電気を生じさせ、該静電気により前記被印刷物を前記ベルトに密着させる。このように構成すれば、帯電し易い材料のベルトを選定することにより効果的に被印刷物をベルトに密着させることができる。
【００１９】
（１０）本発明の印刷装置において、前記ベルトの移動方向に対して前記複数のインクジェットヘッドおよび前記複数のヘッド間乾燥装置の下流側に配置され、前記ベルトおよび前記被印刷物のうち少なくとも一方の前記静電気を取り除く除電装置をさらに備える。このように構成すれば、印刷後の被印刷物が静電気の吸着力から開放されるため、容易にベルトから離脱させることができる。
【００２０】
（１１）本発明の印刷装置は、前記ベルトの移動方向に対して前記複数のヘッド間乾燥装置の上流側に配置され、前記互いに異なるインクが塗布される前の前記被印刷物を乾燥させる予備乾燥装置を備える。このように構成すれば、被印刷物にインクを塗布する前に、予備乾燥装置により被印刷物を乾燥させることができるため、被印刷物の基材の内部にインクが浸透しやすくなり、鮮明な文字および画像を形成することができる。
【００２１】
（１２）本発明の印刷装置は、前記ベルトの移動方向に対して前記複数のヘッド間乾燥装置の下流側に配置され、塗布された前記互いに異なるインクの各々を更に乾燥させる後乾燥装置を備える。このように構成すれば、インクが塗布された後に、ヘッド間乾燥装置により乾燥させて、更に後乾燥装置により被印刷物を乾燥させることができるため、インクの脱落や滲みを確実に抑制することができる。
【発明の効果】
【００２２】
本発明に係る態様によれば、案内ローラが印刷面に触れることなく印刷および乾燥を並行して行うことにより、インクの脱落や滲みを防止して、鮮明な文字および画像を形成することができる印刷装置を提供することができる。
【図面の簡単な説明】
【００２３】
【図１】本発明の第１の実施形態に係る印刷装置の全体構成を示す図である。
【図２】図１に係る印刷装置を平面的に見た図である。
【図３】ヘッド間乾燥装置の構成を説明するための図である。
【図４】第１の実施形態の変形例に係る印刷装置の全体構成を示す図である。
【図５】本発明の第２の実施形態に係る印刷装置の要部を示す図である。
【図６】本発明の第３の実施形態に係る印刷装置の全体構成を示す図である。
【図７】図６に係る印刷装置を平面的に見た図である。
【図８】第３の実施形態の変形例に係る印刷装置の全体構成を示す図である。
【発明を実施するための形態】
【００２４】
以下、添付図面を参照して、本発明に係る印刷装置の実施形態を説明する。これらの図は模式図であって、必ずしも大きさを正確な比率で記したものではない。また、図中、同様の構成部品は、同様の符号を付して示す。
【００２５】
［第１の実施形態］
本発明の第１の実施形態による印刷装置１は、図１および図２に示すように、駆動ローラ１０および従動ローラ１２と、長尺状の被印刷物１００をＸ方向に移動（搬送）する無端状ベルト１４と、被印刷物１００にインクを塗布する４つのインクジェットヘッド２０ａ、２０ｂ、２０ｃおよび２０ｄと、被印刷物１００に塗布されたインクを乾燥させる４つのヘッド間乾燥装置２２ａ、２２ｂ、２２ｃおよび２２ｄと、無端状ベルト１４を加熱する裏面加熱装置１６と、インクが塗布される前に被印刷物１００を乾燥させる予備乾燥装置３０とを備えている。
【００２６】
駆動ローラ１０は、モータ等の動力装置（図示せず）により時計回り方向に駆動されるローラである。従動ローラ１２は、無端状ベルト１４の回転とともに供回りするローラである。無端状ベルト１４は、駆動ローラ１０と従動ローラ１２との間に架け渡されており、無端状ベルト１４の裏面１４ａは、駆動ローラ１０および従動ローラ１２と接触している。無端状ベルト１４の表面１４ｂは、被印刷物１００の裏面１００ａを吸着することにより保持している。また、駆動ローラ１０が時計回り方向に回転駆動すると、無端状ベルト１４が時計回り方向に移動し、これに伴い被印刷物１００が無端状ベルト１４の下方から駆動ローラ１０を介して無端状ベルト１４の上方に向かって移動（搬送）される。
【００２７】
無端状ベルト１４には、被印刷物１００を吸着させることにより被印刷物１００の浮きを防止するための吸着部（図示せず）が設けられている。これにより、被印刷物１００が無端状ベルト１４からずれることを抑制できる。具体的には、被印刷物１００が、無端状ベルト１４の表面１４ｂに対する垂直方向、無端状ベルト１４の搬送方向、および、無端状ベルト１４の幅方向へずれることを抑制できる。これにより、被印刷物１００の所定の位置にインクを塗布することができる。上記のような吸着部は、たとえば、負電荷で帯電させた被印刷物１００を正の電圧が印加された無端状ベルト１４で静電吸着する構成や、無端状ベルト１４に複数の吸気孔（図示せず）を設けて、真空ポンプで減圧された空気を吸気孔に案内して、無端状ベルト１４上の被印刷物１００を真空吸着する構成が挙げられる。
【００２８】
ここで、上記した静電吸着する構成について詳細に説明する。図１に示すように、無端状ベルト１４の移動方向に対してインクジェットヘッド２０ａの上流側でかつ無端状ベルト１４の表面側には、印刷前の被印刷物１００を帯電して静電気を生じさせ、該静電気により無端状ベルト１４の表面１４ｂに密着させる帯電装置４１が配置されている。より具体的には、帯電装置４１は、無端状ベルト１４の移動方向に対して、被印刷物１００が無端状ベルト１４の表面１４ｂと接する直前の位置に配置されている。これにより、印刷前の被印刷物１００を無端状ベルト１４の表面１４ｂに対して効果的に密着させることができる。
【００２９】
無端状ベルト１４の移動方向に対してヘッド間乾燥装置２２ｄの下流側でかつ無端状ベルト１４の表面側でかつ従動ローラ１２の近傍には、帯電装置４１により帯電した印刷後の被印刷物１００の静電気を取り除く除電装置４２が配置されている。これにより、印刷後の被印刷物１００を無端状ベルト１４の表面１４ｂから容易に離脱させることができる。
【００３０】
４つのインクジェットヘッド２０ａ〜２０ｄは、無端状ベルト１４に吸着された被印刷物１００の表面１００ｂに対向して配置されている。これらの４つのインクジェットヘッド２０ａ〜２０ｄは、被印刷物１００の表面１００ｂに互いに異なる４種類のインクを塗布することにより印刷を行う。これらの４種類のインクは、ブラック（Ｋ）、シアン（Ｃ）、マゼンタ（Ｍ）、および、イエロー（Ｙ）により構成されている。
【００３１】
４つのヘッド間乾燥装置２２ａ〜２２ｄは、それぞれ、４つのインクジェットヘッド２０ａ〜２０ｄの間に配置されている。たとえば、ヘッド間乾燥装置２２ａは、インクジェットヘッド２０ａの下流側に隣接して配置されており、インクジェットヘッド２０ａにより塗布されたインクをヘッド間乾燥装置２２ａにより乾燥させる。なお、ヘッド間乾燥装置２２ｂ〜２２ｄに関しても同様の構成である。
【００３２】
４つのヘッド間乾燥装置２２ａ〜２２ｄは、図３に示すように、外側管状本体部２２１ａと、外側管状本体部２２１ａの内部に配置された内側管状本体部２２１ｂとを有する温風噴射ノズル２２１により構成されている。被印刷物１００の表面１００ｂを加熱するための温風が、図３の破線矢印で示すように、温風発生源（図示せず）から内側管状本体部２２１ｂを通って被印刷物１００の表面１００ｂに吹き付けられ、塗布されたインクに含まれる水を蒸発させ、インクの定着を促進させる。
【００３３】
一方、被印刷物１００の表面１００ｂに吹き付けられた温風は、外側管状本体部２２１ａと内側管状本体部２２１ｂとの間に形成された排気流路２２１ｃから排気される。この排気流路２２１ｃは減圧ポンプ（図示せず）と流体連通し、温風は排気流路２２１ｃから吸引されて外部に排気される。このように、乾燥を行った後の温風を回収することによって、温風による主な影響、具体的には、隣接するインクジェットヘッド２０ａ〜２０ｄのノズル面のインクが乾き不吐出となることや、吐出されたインクの着弾位置がずれるという影響を抑制できる。
【００３４】
裏面加熱装置１６は、図１に示すように、駆動ローラ１０と従動ローラ１２との間に配置されており、無端状ベルト１４を加熱するベルト加熱装置を備えている。具体的には、裏面加熱装置１６は、輻射熱を直接照射するラジエントヒータなどにより構成されており、無端状ベルト１４の裏面１４ａを加熱することにより、被印刷物１００の裏面１００ａが間接的に加熱される。これにより、インクを被印刷物１００の基材に塗布する前後で被印刷物１００の基材を十分に乾燥させて、インクの基材内部への浸透を促進するとともに、被印刷物１００に塗布されたインクに含まれる水を蒸発させて、各色のインクが滲む（各色の着色剤が混じり合う）ことを抑制する。
【００３５】
予備乾燥装置３０は、無端状ベルト１４の移動方向（時計回り方向）に対して、４つのインクジェットヘッド２０ａ〜２０ｄおよび４つのヘッド間乾燥装置２２ａ〜２２ｄの上流側に配置されている。この予備乾燥装置３０は、インクが塗布される前の被印刷物１００を乾燥させる。具体的には、予備乾燥装置３０は、輻射熱を直接照射するラジエントヒータなどにより構成されており、無端状ベルト１４の表面１４ｂに吸着された被印刷物１００の表面１００ｂを加熱することにより、被印刷物１００の表面１００ｂが加熱される。これにより、インクを被印刷物１００の基材に塗布する前に被印刷物１００の基材を十分に乾燥させて、インクの基材内部への浸透を促進する。
【００３６】
上記説明した第１の実施形態によれば、以下の効果（１）〜（８）を得ることができる。
【００３７】
（１）第１の実施形態による印刷装置１では、４種類のインクジェットヘッド２０ａ〜２０ｄの各々の間に、塗布された互いに異なるインクの各々を乾燥させる４つのヘッド間乾燥装置２２ａ〜２２ｄを配置することによって、被印刷物１００を移動させる無端状ベルト１４が被印刷物１００の裏面１００ａを保持するため被印刷物１００の表面１００ｂに無端状ベルト１４が直接接触することなく、かつ、被印刷物１００を案内する案内ローラが印刷面に直接接触することなく印刷および乾燥を平行して行うことができるため、インクの脱落や滲みを防止して、鮮明な文字および画像を形成することができる。
【００３８】
（２）第１の実施形態による印刷装置１では、４つのヘッド間乾燥装置２２ａ〜２２ｄの各々が、被印刷物１００の表面１００ｂに温風を噴射することによりインクの各々の乾燥を個別に行うとともに、乾燥を行った後の温風を回収することによって、インクの乾燥を行う際に、被印刷物１００の表面１００ｂに対して噴射された温風が回収されるため、噴射された温風が隣接するインクジェットの塗布に影響を与えることを抑制できる。
【００３９】
（３）第１の実施形態による印刷装置１では、被印刷物１００の裏面１００ａを加熱する裏面加熱装置１６によって、被印刷物１００を裏面１００ａ側から加熱して、被印刷物１００に塗布されたインクに含まれる水分を蒸発させて効果的に乾燥させることができる。
【００４０】
（４）第１の実施形態による印刷装置１では、ベルト加熱装置を備える裏面加熱装置１６により加熱された無端状ベルト１４を介して被印刷物１００の裏面１００ａを加熱することによって、裏面加熱装置１６の熱を無端状ベルト１４を介して被印刷物１００の裏面１００ａに間接的に伝えて効果的に被印刷物１００を乾燥させることができる。
【００４１】
（５）第１の実施形態による印刷装置１では、被印刷物１００の裏面１００ａを無端状ベルト１４に吸着させる吸着装置によって、被印刷物１００が無端状ベルト１４の表面１４ｂから浮くことを防止できるため、裏面加熱装置１６による被印刷物１００の加熱効率を上げることができ、かつ、被印刷物１００の表面１００ｂと４つのインクジェットヘッド２０ａ〜２０ｄとが接触することを防止できる。
【００４２】
（６）第１の実施形態による印刷装置１では、帯電装置４１により被印刷物１００を帯電して静電気を生じさせ、該静電気により無端状ベルト１４の表面１４ｂに密着させることによって、無端状ベルト１４の材質に関わらず被印刷物１００を無端状ベルト１４の表面１４ｂに密着させることができる。また、被印刷物１００の表面１００ｂと複数のインクジェットヘッド２０ａ〜２０ｄの先端との間隔を一定に保つことができるため、印字品質を向上させることができる。
【００４３】
（７）第１の実施形態による印刷装置１では、無端状ベルト１４の移動方向に対してヘッド間乾燥装置２２ｄの下流側の従動ローラ１２近傍に配置された除電装置４２により、被印刷物１００に帯電した静電気を取り除くことによって、印刷後の被印刷物１００が静電気の吸着力から開放されるため、容易に無端状ベルト１４の表面１４ｂから離脱させることができる。
【００４４】
（８）第１の実施形態による印刷装置１では、インクが塗布される前の被印刷物１００を乾燥させる予備乾燥装置３０を、無端状ベルト１４の移動方向に対して４つのインクジェットヘッド２０ａ〜２０ｄおよび４つのヘッド間乾燥装置２２ａ〜２２ｄの上流側に配置することによって、被印刷物１００にインクを塗布する前に、予備乾燥装置３０により被印刷物１００を乾燥させることができるため、被印刷物１００の基材の内部にインクが浸透しやすくなり、鮮明な文字および画像を形成することができる。
【００４５】
［第１実施形態の変形例］
図４を用いて、本発明の第１の実施形態の変形例について説明する。なお、この変形例では、第１の実施形態との共通部分には同一符号を付してその説明を省略し、異なる部分のみ詳説する。
【００４６】
本発明の第１の実施形態の変形例に係る印刷装置１ｂでは、図４に示すように、無端状ベルト１４の移動方向に対してインクジェットヘッド２０ａの上流側でかつ無端状ベルト１４の裏面側でかつ従動ローラ１２近傍には、印刷前の被印刷物１００を帯電して静電気を生じさせ、該静電気により無端状ベルト１４の表面１４ｂに密着させる帯電装置４１が配置されている。これにより、印刷前の被印刷物１００を無端状ベルト１４の表面１４ｂに対して効果的に密着させることができる。
【００４７】
無端状ベルト１４の移動方向に対してヘッド間乾燥装置２２ｄの下流側でかつ無端状ベルト１４の裏面側でかつ従動ローラ１２近傍には、帯電装置４１により帯電した印刷後の被印刷物１００の静電気を取り除く除電装置４２が配置されている。これにより、印刷後の被印刷物１００を無端状ベルト１４の表面１４ｂから容易に離脱させることができる。
【００４８】
上記説明した第１の実施形態の変形例によれば、上記第１の実施形態の効果（１）〜（５）、（７）および（８）に加えて、下記の効果（９）を得ることができる。
【００４９】
（９）第１の実施形態の変形例による印刷装置１ｂでは、帯電装置４１が無端状ベルト１４を帯電して静電気を生じさせ、該静電気により被印刷物１００を密着させることによって、帯電し易い材料のベルトを選定することにより効果的に被印刷物１００を無端状ベルト１４の表面１４ｂに密着させることができる。
【００５０】
［第２の実施形態］
図５を用いて、本発明の第２の実施形態に係る印刷装置について説明する。なお、第２の実施形態では、第１の実施形態との共通部分には同一符号を付してその説明を省略し、異なる部分のみ詳説する。
【００５１】
本発明の第２の実施形態に係る印刷装置１ａでは、裏面加熱装置１６は、駆動ローラ１０と従動ローラ１２との間の一部領域に沿って延びる４つの誘導加熱コイル１６ａ、１６ｂ、１６ｃおよび１６ｄと、これらの誘導加熱コイル１６ａ〜１６ｄに高周波電流を供給する高周波電源（図示せず）とを有するＩＨ式のヒータにより構成されている。また、無端状ベルト１４は金属製のベルトからなる。このＩＨ式のヒータでは、高周波電源が各誘導加熱コイル１６ａ〜１６ｄに高周波電流を供給することにより、各誘導加熱コイル１６ａ〜１６ｄの対向する金属製の無端状ベルト１４が誘導加熱（発熱）されるため、被印刷物１００の裏面１００ａを直接的に加熱することができる。
【００５２】
また、印刷装置１ａでは、予備乾燥装置３０は、駆動ローラ１０と従動ローラ１２の間の全体または一部に沿って延びる金属板３２と、金属板３２に対向するように配置された誘導加熱コイル３４とを有するＩＨ式ヒータにより構成されている。このＩＨ式のヒータでは、高周波電源が誘導加熱コイル３４に高周波電流を供給することにより、各誘導加熱コイル３４の対向する金属板３２が誘導加熱（発熱）されるため、被印刷物１００の表面１００ｂを加熱することができる。
【００５３】
上記説明した第２の実施形態によれば、上記第１の実施形態の効果およびその変形例の効果（１）〜（９）に加えて、下記の効果（１０）を得ることができる。
【００５４】
（１０）第２の実施形態による印刷装置１ａでは、裏面加熱装置１６としてのＩＨ式のヒータにより発熱した無端状ベルト１４が被印刷物１００の裏面１００ａを加熱することによって、無端状ベルト１４の熱を被印刷物１００の裏面１００ａに直接的に伝えることができるため、より効果的に被印刷物１００を乾燥させることができる。
【００５５】
［第３の実施形態］
図６および図７を用いて、本発明の第３の実施形態に係る印刷装置について説明する。なお、第３の実施形態では、第１および第２の実施形態との共通部分には同一符号を付してその説明を省略し、異なる部分のみ詳説する。
【００５６】
本発明の第３の実施形態に係る印刷装置２では、図６および図７に示すように、無端状ベルト１４に吸着された被印刷物１００が、矢印で示すように、無端状ベルト１４の上方から従動ローラ１２を介して無端状ベルト１４の下方に向かって搬送される。
【００５７】
また、印刷装置２では、上述した第１および第２の実施形態による印刷装置１および１ａにおいてインクが塗布される前に被印刷物１００を乾燥する予備乾燥装置３０に替えて、インクが塗布された後に被印刷物１００を乾燥する後乾燥装置３６を備えている。
【００５８】
印刷装置２では、４つのインクジェットヘッド２０ａ〜２０ｄによりそれぞれのインクが塗布されるとともに、４つのヘッド間乾燥装置２２ａ〜２２ｄによりインクが乾燥された後に、後乾燥装置３６により、さらに被印刷物１００のインクの乾燥が行われる。この後乾燥装置３６の具体的な構成は、上述した予備乾燥装置３０の構成と同様である。
【００５９】
上記説明した第３の実施形態によれば、上記第１および第２の実施形態の効果（１）〜（７）および（１０）に加えて、下記の効果（１１）を得ることができる。
【００６０】
（１１）第３の実施形態による印刷装置２では、塗布された互いに異なるインクの各々を更に乾燥させる後乾燥装置３６を、無端状ベルト１４の移動方向に対して４つのインクジェットヘッド２０ａ〜２０ｄおよび４つのヘッド間乾燥装置２２ａ〜２２ｄの下流側に配置することによって、インクが塗布された後に、ヘッド間乾燥装置２２ａ〜２２ｄにより乾燥させて、更に後乾燥装置３６により被印刷物１００を乾燥させることができるため、インクの脱落や滲みを確実に抑制することができる。
【００６１】
［第３実施形態の変形例］
図８を用いて、本発明の第３の実施形態の変形例について説明する。なお、この変形例では、第３の実施形態との共通部分には同一符号を付してその説明を省略し、異なる部分のみ詳説する。
【００６２】
本発明の第３の実施形態の変形例に係る印刷装置２ａでは、図８に示すように、無端状ベルト１４の移動方向に対してインクジェットヘッド２０ａの上流側でかつ無端状ベルト１４の裏面側でかつ駆動ローラ１０近傍には、印刷前の被印刷物１００を帯電して静電気を生じさせ、該静電気により無端状ベルト１４の表面１４ｂに密着させる帯電装置４１が配置されている。これにより、印刷前の被印刷物１００を無端状ベルト１４の表面１４ｂに対して効果的に密着させることができる。
【００６３】
無端状ベルト１４の移動方向に対してヘッド間乾燥装置２２ｄの下流側でかつ無端状ベルト１４の裏面側でかつ駆動ローラ１０近傍には、帯電装置４１により帯電した印刷後の被印刷物１００の静電気を取り除く除電装置４２が配置されている。これにより、印刷後の被印刷物１００を無端状ベルト１４の表面１４ｂから容易に離脱させることができる。
【００６４】
上記説明した第３の実施形態の変形例によれば、上記第３の実施形態の効果（１）〜（５）、（７）および（１１）に加えて、下記の効果（１２）を得ることができる。
【００６５】
（１２）第３の実施形態の変形例による印刷装置２ａでは、帯電装置４１により無端状ベルト１４を帯電して静電気を生じさせ、該静電気により被印刷物１００を密着させることによって、帯電し易い材料のベルトを選定することにより効果的に被印刷物１００を無端状ベルト１４の表面１４ｂに密着させることができる。
【００６６】
上記第１〜第３の実施形態およびその変形例は、以下のように変更した構成とすることもできる。
【００６７】
・上記実施形態では、被印刷物を移動させるベルトの一例として、無端状ベルトを示したが、本発明はこれに限られない。たとえば、ベルトを供給する供給部とベルトを巻き取る巻取部とを備え、これらの間で移動する有端状ベルトでも適用可能である。
【００６８】
・上記実施形態では、インクジェットヘッドの一例として、４種類の異なる色のインクを塗布する例を示したが、本発明はこれに限られない。たとえば、インクジェットヘッドの種類は４種類以外に、１種類〜３種類、または、５種類以上でも適用可能である。また、上記実施形態では、ヘッド間乾燥装置の一例として、４つのヘッド間乾燥装置を示したが、本発明はこれに限られない。たとえば、ヘッド間乾燥装置は４つ以外に、１つ〜３つ、または、５つ以上でも適用可能である。なお、インクジェットヘッドの数とヘッド間乾燥装置の数とを同数にすることが好ましい。
【００６９】
・上記実施形態では、ヘッド間乾燥装置の一例として、温風噴射ノズルから温風を噴射して被印刷物の表面を乾燥させる例を示したが、本発明はこれに限られない、たとえば、輻射熱を直接照射するラジエントヒータ、赤外線光もしくはレーザ光を照射する光学式ドライヤ、または、ＩＨ式（誘導加熱式）ヒータでも適用可能である。
【００７０】
・上記実施形態では、裏面加熱装置の一例として、輻射熱を直接照射するラジエントヒータ、または、ＩＨ式のヒータを適用する例を示したが、本発明はこれに限られない。たとえば、被印刷物の裏面を加熱することが可能であれば、温風を噴射して被印刷物の裏面を加熱する構成、または、赤外線光もしくはレーザ光を照射する光学式ドライヤでも適用可能である。
【００７１】
・上記実施形態では、予備乾燥装置および後乾燥装置の一例として、輻射熱を直接照射するラジエントヒータ、または、ＩＨ式のヒータを適用する例を示したが、本発明はこれに限られない。たとえば、被印刷物の裏面を加熱することが可能であれば、温風を噴射して被印刷物の裏面を加熱する構成、または、赤外線光もしくはレーザ光を照射する光学式ドライヤでも適用可能である。
【００７２】
・上記実施形態では、予備乾燥装置または後乾燥装置の一方を印刷装置に適用する例を示したが、本発明はこれに限られない、すなわち、予備乾燥装置および後乾燥装置の両方を印刷装置に適用することも可能である。具体的には、インクジェットヘッドおよびヘッド間乾燥装置の上流側に予備乾燥装置を配置し、かつ、インクジェットヘッドおよびヘッド間乾燥装置の下流側に後乾燥装置を配置することも可能である。
【００７３】
・上記実施形態では、駆動ローラと従動ローラとの間に無端状ベルトを架け渡して被印刷物を搬送する例を搬送示したが、本発明はこれに限られない。たとえば、これらのローラおよびベルトに替えて、平坦面状のベルトを配置してこのベルト上で被印刷物を搬送するようにしてもよい。
【００７４】
・上記実施形態では、被印刷物の一例として、長尺状の被印刷物を適用する例を示したが、本発明はこれに限られない。たとえば、所定の大きさに裁断された被印刷物を適用することも可能である。
【００７５】
・上記実施形態は、いずれも本発明の適応の例示であり、特許請求の範囲に記載の範囲内におけるその他いかなる実施形態も、発明の技術的範囲に含まれることは当然のことである。
【符号の説明】
【００７６】
１、１ａ、１ｂ、２、２ａ  …印刷装置
１４          …無端状ベルト
１４ａ        …裏面
１４ｂ        …表面
１６          …裏面加熱装置
２０ａ、２０ｂ、２０ｃ、２０ｄ      …インクジェットヘッド
２２ａ、２２ｂ、２２ｃ、２２ｄ      …ヘッド間乾燥装置
３０          …予備乾燥装置
３６          …後乾燥装置
４１          …帯電装置
４２          …除電装置
１００        …被印刷物
１００ａ      …裏面
１００ｂ      …表面
【図１】
2020023179.tif 000003
【図２】
2020023179.tif 000004
【図３】
2020023179.tif 000005
【図４】
2020023179.tif 000006
【図５】
2020023179.tif 000007
【図６】
2020023179.tif 000008
【図７】
2020023179.tif 000009
【図８】
2020023179.tif 000010